【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
撮像手段と、
この撮像手段による撮像に際し、光源光を取得する光源光取得手段と、
この光源光取得手段により取得された光源光を波長毎に分光する分光手段と、
この分光手段による分光結果に基づいて第１の分光エネルギー分布を取得する分光エネルギー分布取得手段と、
第２の分光エネルギー分布を設定する設定手段と、
前記第１の分光エネルギー分布と前記第２の分光エネルギー分布とに基づいて、前記撮像手段による撮像信号について前記波長毎に利得制御を行う利得制御手段と、
を備えたことを特徴とする撮像装置。
【請求項２】
前記利得制御手段は、
前記第１の分光エネルギー分布と前記第２の分光エネルギー分布とに基づいてカラー変換フィルタ特性を算出して、前記撮像手段による撮像信号について前記波長毎に利得制御を行うことを特徴とする請求項１記載の撮像装置。
【請求項３】
撮像光学系の分光透過率を記憶する記憶手段を更に備え、
前記分光エネルギー分布取得手段は、
前記分光手段による分光結果に加え前記記憶手段に記憶される分光透過率に基づいて前記第１の分光エネルギー分布を取得することを特徴とする請求項１又は２に記載の撮像装置。
【請求項４】
前記分光エネルギー分布取得手段は、
前記分光手段による分光結果に加え前記撮像手段の分光感度特性に基づいて前記第１の分光エネルギー分布を取得することを特徴とする請求項１又は２に記載の撮像装置。
【請求項５】
前記利得制御手段は、
前記撮像手段による撮像信号についてホワイトバランス調整を行うことを特徴とする請求項１乃至４の何れか記載の撮像装置。
【請求項６】
撮像手段と、この撮像手段による撮像に際して光源光を取得し波長毎に分光する分光手段と、操作手段とを備えた撮像装置が有するコンピュータを、
前記分光手段による分光結果に基づいて第１の分光エネルギー分布を取得する取得手段、
前記操作手段による操作により第２の分光エネルギー分布を設定する設定手段、
前記第１の分光エネルギー分布と前記第２の分光エネルギー分布とに基づいて、前記撮像手段による撮像信号について前記波長毎に利得制御を行う利得制御手段、
として機能させることを特徴とするプログラム。
【手続補正２】
【補正対象書類名】明細書
【補正対象項目名】００１６
【補正方法】変更
【補正の内容】
【００１６】
上記目的達成のため、請求項１記載の発明は、撮像手段と、この撮像手段による撮像に際し、光源光を取得する光源光取得手段と、この光源光取得手段により取得された光源光を波長毎に分光する分光手段と、この分光手段による分光結果に基づいて第１の分光エネルギー分布を取得する分光エネルギー分布取得手段と、第２の分光エネルギー分布を設定する設定手段と、前記第１の分光エネルギー分布と前記第２の分光エネルギー分布とに基づいて、前記撮像手段による撮像信号について前記波長毎に利得制御を行う利得制御手段と、を備えたことを特徴とする。
【手続補正３】
【補正対象書類名】明細書
【補正対象項目名】００１７
【補正方法】変更
【補正の内容】
【００１７】
また、請求項２記載の発明は、上記請求項１記載の発明において、前記利得制御手段は、前記第１の分光エネルギー分布と前記第２の分光エネルギー分布とに基づいてカラー変換フィルタ特性を算出して、前記撮像手段による撮像信号について前記波長毎に利得制御を行うことを特徴とする。
【手続補正４】
【補正対象書類名】明細書
【補正対象項目名】００１８
【補正方法】変更
【補正の内容】
【００１８】
また、請求項３記載の発明は、上記請求項１又は２記載の発明において、撮像光学系の分光透過率を記憶する記憶手段を更に備え、前記分光エネルギー分布取得手段は、前記分光手段による分光結果に加え前記記憶手段に記憶される分光透過率に基づいて前記第１の分光エネルギー分布を取得することを特徴とする。
【手続補正５】
【補正対象書類名】明細書
【補正対象項目名】００１９
【補正方法】変更
【補正の内容】
【００１９】
また、請求項４記載の発明は、上記請求項１又は２記載の発明において、前記分光エネルギー分布取得手段は、前記分光手段による分光結果に加え前記撮像手段の分光感度特性に基づいて前記第１の分光エネルギー分布を取得することを特徴とする。
【手続補正６】
【補正対象書類名】明細書
【補正対象項目名】００２０
【補正方法】変更
【補正の内容】
【００２０】
また、請求項５記載の発明は、上記請求項１乃至４の何れか記載の発明において、前記利得制御手段は、前記撮像手段による撮像信号についてホワイトバランス調整を行うことを特徴とする。
【手続補正７】
【補正対象書類名】明細書
【補正対象項目名】００２１
【補正方法】変更
【補正の内容】
【００２１】
また、上記目的達成のため、請求項６記載の発明は、撮像手段と、この撮像手段による撮像に際して光源光を取得し波長毎に分光する分光手段と、操作手段とを備えた撮像装置が有するコンピュータを、前記分光手段による分光結果に基づいて第１の分光エネルギー分布を取得する取得手段、前記操作手段による操作により第２の分光エネルギー分布を設定する設定手段、前記第１の分光エネルギー分布と前記第２の分光エネルギー分布とに基づいて、前記撮像手段による撮像信号について前記波長毎に利得制御を行う利得制御手段、として機能させることを特徴とする。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】変更
【補正の内容】
【００４５】
本発明によれば、光源光を波長毎に分光して第１の分光エネルギー分布を取得し、この第１の分光エネルギー分布と設定された第２の分光エネルギー分布とに基づいて、撮像信号について前記波長毎に利得制御を行うので、特にホワイトバランスの向上、ユーザの利便性の向上を図ることができる。
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】削除
【補正の内容】
【手続補正４０】
【補正対象書類名】明細書
【補正対象項目名】００５４
【補正方法】削除
【補正の内容】
【手続補正４１】
【補正対象書類名】明細書
【補正対象項目名】００５５
【補正方法】削除
【補正の内容】
【手続補正４２】
【補正対象書類名】明細書
【補正対象項目名】００５６
【補正方法】削除
【補正の内容】
【手続補正４３】
【補正対象書類名】明細書
【補正対象項目名】００５７
【補正方法】削除
【補正の内容】
【手続補正４４】
【補正対象書類名】明細書
【補正対象項目名】００５８
【補正方法】削除
【補正の内容】